(57)【要約】【課題】  平方向の位置決め調整を行った際に、ウォールアンカーに引き抜き力が作用したり、ベース部材が基礎地盤から離間することをなくして支持力の低下を防止すると共に、Ｘ軸方向とＹ軸方向の相互干渉を低減し、水平位置決め調整を容易且つ迅速に行い得ることを主たる目的とする。【解決手段】  支柱部材２３を介してアンカーボルト２４をＸ軸方向とＹ軸方向に沿って位置決め調整する水平調整部を設け、Ｘ軸方向とＹ軸方向の少なくともいずれか一方の水平調整部は、支柱部材２３の他方片３５に設けた水平調整用の調整ねじ孔４０と、調整ねじ孔４０に螺合して下端をベース部材２２の水平片２９に圧接する高さ調整ねじ４１で構成したアンカーボルトの支持装置である。【選択図】  図６
2004169546.tif 000002
【特許請求の範囲】
【請求項１】
基礎地盤上に取り付けたベース部材に支柱部材を連結して立設させ、建物の柱を取り付けるアンカーボルトを支柱部材に連結して、アンカーボルトの上端ねじ部を突出する態様で基礎コンクリート中に埋設するアンカーボルトの支持装置において、
前記ベース部材は水平片と垂直片をＬ字状に形成し、前記支柱部材は第１片と第２片をＬ字状に形成し、ベース部材は水平片を基礎地盤上に設置してウォールアンカーに取り付け、支柱部材の第１片又は第２片のいずれかの一方片下端側とベース部材の垂直片の間には  支柱部材をＸ軸方向又はＹ軸方向のいずれか一方に傾斜させて水平方向の位置決め調整を行う水平調整部を設けると共に、支柱部材の第１片又は第２片のいずれかの他方片下端側とベース部材の水平片の間には、支柱部材をＸ軸方向又はＹ軸方向のいずれか他方に傾斜させて水平方向の位置決め調整を行う水平調整部を設け、各水平調整部の少なくともいずれか一方の水平調整部は、支柱部材の他方片に設けた水平調整用の調整ねじ孔と、調整ねじ孔に螺合して下端がベース部材の水平片に圧接可能な高さ調整ねじで構成したことを特徴とするアンカーボルトの支持装置。
【請求項２】
前記水平調整部は、いずれか一方の水平調整部が支柱部材に設けた水平調整用の調整ねじ孔と、調整ねじ孔に螺合して下端がベース部材の水平片に圧接可能な高さ調整ねじで構成し、いずれか他方の水平調整部を支柱部材の一方片に設けたルーズホールによる水平調整用の遊動取付孔と、遊動取付孔を介してベース部材の垂直片に連結するねじ固着手段で構成した請求項１に記載したアンカーボルトの支持装置。
【発明の詳細な説明】
【技術分野】
【０００１】
本発明は、基礎地盤上に立設してアンカーボルトを支持すると共に、アンカーボルトの上端ねじ部を突出する態様で建物の基礎コンクリート中に埋設されるアンカーボルトの支持装置に関する。
【背景技術】
【０００２】
この種のアンカーボルトの支持装置は、アンカーボルトの上端ねじ部を介して建物の柱に連結し、柱からの応力を基礎に伝達すべく基礎コンクリート中に埋設する露出形固定柱脚などに用いられるが、その代表的な工法であるベースパック工法におけるアンカーボルトの支持装置として特許文献１の提案がある。
【特許文献１】特許第２７８４９５２号公報
【０００３】
この種のアンカーボルトの支持装置では、基礎地盤上にベース部材及び支柱部材を介して複数本の各アンカーボルトを装着しているが、支持装置の中心を柱の取付け位置中心と正確に一致させるためには、各アンカーボルトの上端ねじ部の高さ位置を調整して垂直（Ｚ軸）方向の位置決めすると共に、上端ねじ部の前後及び左右位置を調整して水平（Ｘ軸，Ｙ軸）方向の位置決めする必要がある。
【０００４】
しかしながら、特許文献１を含む従来技術のベースパック工法におけるアンカーボルトの支持装置の場合には、上端ねじ部の高さ位置を調整して垂直（Ｚ軸）方向の位置決めするのには好適であるが、上端ねじ部の前後及び左右位置を調整して水平（Ｘ軸，Ｙ軸）方向の位置決めするのには難点があった。
【０００５】
その理由としては、各支柱部材の下端側を支持するベース部材が特許文献１のように方形枠状に一体化され、この一体化されたベース部材に各支柱部材がそれぞれ連結されているので、各支柱部材を介して各上端ねじ部に対する水平（Ｘ軸，Ｙ軸）方向の位置決め調整を行う際に、各支柱部材はベース部材を介して相互干渉し、個別に位置決め調整を行うことが困難である。
【０００６】
また、一体化されたベース部材に各支柱部材がそれぞれ連結されていると、基礎地盤に打設した捨てコンクリート上面の不陸等の影響をベース部材を介して各支柱部材全体が受けるので、水平（Ｘ軸，Ｙ軸）方向の位置決め調整を全ての支柱部材に対して大幅に行う必要が生ずると共に、相互干渉によるズレを再調整するために繰り返し位置決め調整を行う必要がある。
【０００７】
そこで、水平（Ｘ軸，Ｙ軸）方向の位置決め調整を容易に行うことを可能にすることを主たる目的とし、本件発明者は先に特願２００２−１１１６４２号（先行技術１）及び特願２００２−２１２４１７号（先行技術２）で新たな構想によるアンカーボルトの支持装置に関する提案を行ったが、これらの提案によるアンカーボルトの支持装置の概略を図１で説明する。
【０００８】
図１（ａ）は、先行技術１の水平（Ｘ軸，Ｙ軸）方向の位置決め調整状態を示す要部斜視図であり、短尺なＬアングル材などを用いて水平片１ａ，２ａと垂直片１ｂ，２ｂを形成した第１及び第２ベース部材１，２と、長尺なＬアングル材などを用いて第１片３ａと第２片３ｂを形成した支柱部材３を備えている。
【０００９】
第１及び第２ベース部材１，２は、垂直片１ｂ，２ｂを直交状にした状態で水平片１ａ，２ａを重合し、捨てコンクリートが打設された基礎地盤上に設置すると共に、基礎地盤から突設して水平片１ａ，２ａの取付け孔（図示を省略）を挿通させたウォールアンカー４をナット５で螺着することにより、基礎地盤上に固定している。
【００１０】
支柱部材３は、第１片３ａと第２片３ｂにそれぞれ水平調整孔６を設け、垂直片１ｂ，２ｂに対して各水平調整孔６と整合する位置に設けた取付け孔（図示を省略）との間に、ボルト７を挿通してナット８で螺着することにより、第１及び第２ベース部材１，２に固定しているが、各水平調整孔６はボルト７が遊動可能なルーズホールにしている。
【００１１】
図１（ａ）の水平（Ｘ軸，Ｙ軸）方向の位置決め調整は、第２片３ｂ側のボルト７とナット８の締め付けを緩めた状態で支柱部材３の上端側をＸ方向に水平移動させると、第２片３ｂに設けた水平調整孔６の遊動範囲内で、水平片１ａに対して垂直片１ｂが鈍角状又は鋭角状に撓んで、Ｘ軸に沿った水平方向の位置決め調整ができる。
【００１２】
また、第１片３ａ側のボルト７とナット８の締め付けを緩めた状態で支柱部材３の上端側をＹ方向に水平移動させると、第１片３ａに設けた水平調整孔６の遊動範囲内で、水平片２ａに対して垂直片２ｂが鈍角状又は鋭角状に撓んで、Ｙ軸に沿った水平方向の位置決め調整ができ、Ｘ軸及びＹ軸を調整した後にはボルト７とナット８を緊結させる。
【００１３】
図１（ｂ）は、先行技術２における水平（Ｘ軸，Ｙ軸）方向の位置決め調整状態を示す要部断面図であり、長尺なアングル材などを用いて第１片９ａと第２片９ｂでＬ字状に形成した支柱部材９と、第１片９ａと第２片９ｂに溶接などで一体に連結して支柱部材９の下端に設けたベース部材１０と、ベース部材１０と基礎地盤の捨てコンクリート１１の間に介在させる支圧板１２とを備えている。
【００１４】
ベース部材１０は、基礎地盤の捨てコンクリート１１から突設して支圧板１２の取付け孔（図示を省略）及びベース部材１０の取付け孔（図示を省略）を挿通させたウォールアンカー１２をナット１３で螺着することにより、基礎地盤上に固定すると共に、ベース部材１０のねじ孔（図示を省略）に螺合させた各ボルト１４の先端を、支圧板１２の上面に押し当てている。
【００１５】
ボルト１４は、ウォールアンカー１２の外周囲を囲繞する態様で複数本（例えば、１２０℃の角度間隔で３本）を配置し、ウォールアンカー１２に対するナット１３の締め付けを緩めた状態にして、各ボルト１４を所望に締め付けたり緩めたりすることによって、支柱部材９をＸ軸及びＹ軸に沿って傾斜させて水平方向の位置決め調整ができる。
【００１６】
従って、特許文献１と同様に高さ調整可能な垂直（Ｚ軸）方向の位置決め調整部を介して、各支柱部材３，９の上端側に各アンカーボルトを装着すると共に、先行技術１，２のように各支柱部材３，９の下端側にＸ軸及びＹ軸に沿って位置決めする水平方向の位置決め調整部を設けると、各支柱部材３，９をそれぞれ個別にＸＹＺ方向に調整することが可能となり、各アンカーボルトの上端ねじ部を柱の取付け位置と正確に一致させることができる。
【発明の開示】
【発明が解決しようとする課題】
【００１７】
しかしながら、先行技術１，２によるアンカーボルトの支持装置にも改善の余地が残されており、例えば先行技術１，２において水平方向の位置決め調整を行った際に、ウォールアンカー４，１２に引き抜き力が作用すると共に、ベース部材１，２，１０が基礎地盤の捨てコンクリート上面から離間して支持力を低下させる恐れがある。
【００１８】
また、Ｘ軸方向に対する水平位置決め調整と、Ｙ軸方向に対する水平位置決め調整とを、完全に独立した状態で行うことが困難であり、一方の水平位置決め調整を行った後に他方の水平位置決め調整を行った際に、相互干渉によって調整済みの一方の水平位置決め調整にずれを生じ、このために何度か再調整を繰り返すことになって、調整の煩雑さと調整に時間を要する恐れがあった。
【００１９】
そこで本発明では、これらの課題を解決し得るアンカーボルトの支持装置を提供するものであり、特に水平方向の位置決め調整を行った際に、ウォールアンカーに引き抜き力が作用したり、ベース部材が基礎地盤から離間することをなくして支持力の低下を防止すると共に、Ｘ軸方向とＹ軸方向の相互干渉を低減し、水平位置決め調整を容易且つ迅速に行い得ることを主たる目的とする。
【課題を解決するための手段】
【００２０】
本発明は、基礎地盤上に取り付けたベース部材に支柱部材を連結して立設させ、建物の柱を取り付けるアンカーボルトを支柱部材に連結して、アンカーボルトの上端ねじ部を突出する態様で基礎コンクリート中に埋設するアンカーボルトの支持装置を実施対象とするものであって、前記ベース部材は水平片と垂直片をＬ字状に形成し、前記支柱部材は第１片と第２片をＬ字状に形成し、ベース部材は水平片を基礎地盤上に設置してウォールアンカーに取り付けられている。
【００２１】
本発明によるアンカーボルトの支持装置は、支柱部材の第１片又は第２片のいずれかの一方片下端側とベース部材の垂直片の間には  支柱部材をＸ軸方向又はＹ軸方向のいずれか一方に傾斜させて水平方向の位置決め調整を行う水平調整部を設けると共に、支柱部材の第１片又は第２片のいずれかの他方片下端側とベース部材の水平片の間には、支柱部材をＸ軸方向又はＹ軸方向のいずれか他方に傾斜させて水平方向の位置決め調整を行う水平調整部を設け、少なくともいずれか一方の水平調整部は、支柱部材の他方片に設けた水平調整用の調整ねじ孔と、調整ねじ孔に螺合して下端がベース部材の水平片に圧接可能な高さ調整ねじで構成した。
【００２２】
また水平調整部は、Ｘ軸方向の平調整部とＹ軸方向の平調整部のいずれか一方の水平調整部が支柱部材に設けた水平調整用の調整ねじ孔と、調整ねじ孔に螺合して下端がベース部材の水平片に圧接可能な高さ調整ねじで構成し、いずれか他方の水平調整部を支柱部材の一方片に設けたルーズホールによる水平調整用の遊動取付孔と、遊動取付孔を介してベース部材の垂直片に連結するねじ固着手段で構成した形態を採ることができる。
【００２３】
本発明によるアンカーボルトの支持装置では、水平調整部を構成するねじ固着手段を緩めた状態にすると、ルーズホールで形成した水平調整用の遊動取付孔とねじ固着手段であるねじ軸との間で遊動が可能であるから、この遊動範囲内でベース部材の垂直片に対して支柱部材を、Ｘ又はＹのいずれか一方向に傾斜させ、上部に連結したアンカーボルトも同様に傾斜させることができる。
【００２４】
このアンカーボルトの傾斜は、上端ねじ部に連結されたテンプレートを介して対向位置に設けたアンカーボルト側に伝達され、対向位置に設けた水平調整部のねじ固着手段を緩めた状態にしておくと、ねじ固着手段のねじ軸に対して遊動取付孔の範囲内で支柱部材の他方片下端側が可動し、対向位置側のアンカーボルト及び支柱部材を平行状態で傾斜させ、全体が平行四辺形状に変形して垂直片に沿ったＸ又はＹのいずれか一方向に対する位置決め調整ができる。
【００２５】
また、水平調整部を構成する調整ねじ孔に螺合した高さ調整ねじを回転させると、ベース部材の水平片を支圧部材として支柱部材の他方片を押し上げる共に、支柱部材の一方片を介してベース部材の垂直片を水平片に対して鈍角状に撓み変形させ、垂直片に他方片を取り付けた支柱部材をＸ又はＹのいずれか他方向に傾斜させ、上部に連結したアンカーボルトも同様に傾斜させることができる。
【００２６】
このアンカーボルトの傾斜は、上端ねじ部に連結されたテンプレートを介して対向位置に設けたアンカーボルト側に伝達され、対向位置に設けた水平調整部の高さ調整ねじの螺合状態を、高さ調整ねじの下端が水平片から離間する状態にしておくと、離間した範囲内で支柱部材の他方片下端側を押し下げることが可能であり、対向位置側のアンカーボルト及び支柱部材を平行状態で傾斜させると共に、ベース部材の垂直片を鋭角状に撓み変形させ、全体が平行四辺形状に変形して垂直片と直交するＸ又はＹのいずれか他方向に対する位置決め調整ができる。
【発明の効果】
【００２７】
このようにして、各アンカーボルトを支持している支柱部材及びベース部材に対し、Ｘ軸方向の平調整部とＹ軸方向の平調整部を適宜に調整操作して、各アンカーボルトをＸ又及びＹの水平方向に位置決め調整を行うと共に、図示の実施形態を含む公知の垂直調整部を適宜に採択して垂直方向の位置決め張設を行うことにより、上端ねじ部に装着されたテンプレートの中心を、柱を建て込む中心と正確に一致するように整合させることができる。
【００２８】
特に、本発明における水平調整部では、高さ調整ねじで位置決め調整を行う際には、高さ調整ねじの螺合を可変して垂直片を鈍角状に撓み変形する主動調整側では、高さ調整ねじのねじ頭部がベース部材の水平片を下方へ押圧するように作動し、対向位置で垂直片を鋭角状に撓み変形する縦動調整側では、高さ調整ねじの下端がベース部材の水平片から離間しているので、ウォールアンカーに対して引き抜き力が作用しない。
【００２９】
また、遊動取付孔で位置決め調整を行う際には、垂直片に沿って支柱部材が傾斜すると、水平片上に下端を当接した高さ調整ねじを介して、ベース部材の水平片を下方へ押圧するように作動するので、ウォールアンカーに対して引き抜き力が作用しない。
【００３０】
従って、ベース部材の水平片が基礎地盤上から浮き上がって支持強度が低下する恐れが無く、而もＸ軸方向とＹ軸方向の水平位置決め調整を行った際における両者間の相互干渉がないので、再調整を繰り返すことが無く容易で迅速且つ正確な調整作業を行うことができると共に、この種の従来技術による水平調整手段に比べて、構成がきわめて簡単で安価に提供することができる。
【実施例】
【００３１】
以下に、本発明によるアンカーボルトの支持装置について、本発明を適用した好適な実施形態を示す添付図面に基づいて詳細に説明するが、図２はアンカーボルトの支持装置２０の全体正面図、図３は同装置２０の全体側面図、図４は図１のＩＶ−ＩＶ線で断面にした同装置２０の平面図、図５は図１のＶ−Ｖ線で断面にした同装置２０の平面図、をそれぞれ示す。
【００３２】
支持装置２０は、基礎地盤２１上に各ベース部材２２（２２Ａ，２２Ｂ）を左右対称状に設置し、各ベース部材２２の両端部に各支柱部材２３（２３Ａ，２３Ｂ，２３Ｃ，２３Ｄ）を立設し、各支柱部材２３の上端側には各アンカーボルト２４（２４Ａ，２４Ｂ，２４Ｃ，２４Ｄ）を連結し、各アンカーボルト２４の上端には、上端ねじ部２５とナット２６，２７を介してテンプレート２８が装着されている。
【００３３】
ベース部材２２（２２Ａ，２２Ｂ）は、水平片２９と垂直片３０を備えた断面形状がＬ字状で、例えば長尺なＬアングル材などを用いて形成し、水平片２９には基礎地盤２１に固着するための複数の取付け孔３１を設けると共に、垂直片３０にはベース部材２２を連結するための複数の取付け孔（図示を省略）を、長手方向の両端側に設けている。
【００３４】
ベース部材２２Ａ，２２Ｂは、垂直片３０，３０を対向状にして左右に配置すると共に、基礎地盤２１の表面に打設した捨てコンクリート上に水平片２９，２９を設置し、基部を基礎地盤２１中に埋設して上端側を突設させたウォールアンカー３２を取付け孔３１に挿通させ、ナット３３で螺着することによって基礎地盤２１上に固着している。
【００３５】
なお、図示の実施形態では、各ベース部材２２の水平片２９には両端側と中央の３個所に取付け孔３１を設け、両端側の２個所を用いてウォールアンカー３２に取付けて中央の１個所は遊ばせているが、支柱部材を増設する場合その他の理由で支持強度の増加を必要とする場合には、ウォールアンカー３２に対する取付け個所を適宜増加させる。
【００３６】
支柱部材２３は、第１片３４と第２片３５を備えた断面形状がＬ字状で、例えば長尺なＬアングル材などを用いて形成し、第１片３４にはアンカーボルト２４を連結するための垂直調整用の選択取付孔３６が、上部側に所定間隔毎に設けられていると共に、第１片３４の下端側と第２片３５の下端側には、ベース部材２２に連結するためのルーズホールによる水平調整用の遊動取付孔３７が上下に設けられている。
【００３７】
支柱部材２３は、対角線上に位置する支柱部材２３Ａ，２３Ｃを、第２片３５の下端側がベース部材２２Ａ，２２Ｂの垂直片３０に接合する態様で配置し、第２片３５の下端側に設けた遊動取付孔３７に挿通させたボルト３８の先端側を、ベース部材２２Ａ，２２Ｂの垂直片３０に設けた取付け孔（図示を省略）に挿通し、垂直片３０の裏面側に設けたナット３９で螺着してベース部材２２Ａ，２２Ｂと連結する。
【００３８】
また、対角線上に位置する支柱部材２３Ｂ，２３Ｄは、第１片３４の下端側がベース部材２２Ａ，２２Ｂの垂直片３０に接合する態様で配置し、第１片３４の下端側に設けた遊動取付孔３７に挿通させたボルト３８の先端側を、ベース部材２２Ｂ，２２Ｄの垂直片３０に設けた取付け孔）に挿通し、垂直片３０の裏面側に設けたナット３９で螺着してベース部材２２Ｂ，２２Ｄと連結する。
【００３９】
これにより、支柱部材２３Ａ，２３Ｃの第２片３５及び、支柱部材２３Ｂ，２３Ｄの第１片３４の下端側に、水平調整用の遊動取付孔３７とボルト３８及びナット３９などによるねじ固着手段で第１の水平調整部を構成し、第１の水平調整部を介してベース部材２２の垂直片３０に連結した各支柱部材２３が、上部に連結した各アンカーボルト２４をＹ軸に沿った水平方向に位置決め調整できる。
【００４０】
支柱部材２３には、支柱部材２３Ａ，２３Ｃの第１片３４の下端側の先端部と、支柱部材２３Ｂ，２３Ｄの第２片３５の下端側の先端部に対し、水平調整用の調整ねじ孔を形成する調整ねじ筒４０を下方へ突出する態様で装着させ、調整ねじ筒４０には下方から高さ調整ねじ４１を螺合させている。
【００４１】
支柱部材２３は、支柱部材２３Ａ，２３Ｃの第１片３４及び、支柱部材２３Ｂ，２３Ｄの第２片３５の下端面を、ベース部材２２の水平片２９上面との間に間隔を設け状態で配置し、調整ねじ筒４０に対してねじ軸が高さ調整可能に螺合すると共に、ねじ頭部がベース部材２２の水平片２９上面に圧接する態様で高さ調整ねじ４１が設けられている。
【００４２】
従って、各支柱部材２３の第１片３４又は第２片３５の下端側に、水平調整用の調整ねじ孔を形成する調整ねじ筒４０と、調整ねじ筒４０にねじ軸を螺合してねじ頭部をベース部材２２の水平片２９上面に圧接した高さ調整ねじ４１で第２の水平調整部を構成し、第２の水平調整部を介してベース部材２２の水平片２９上に支持した各支柱部材２３が、上部に連結した各アンカーボルト２４をＸ軸に沿った水平方向に位置決め調整できる。
【００４３】
アンカーボルト２４（２４Ａ，２４Ｂ，２４Ｃ，２４Ｄ）は、支柱部材２３（２３Ａ，２３Ｂ，２３Ｃ，２３Ｄ）に設けた垂直調整用の選択取付孔３６と、ボルト４２とナット４３などによるねじ固着手段で選択取付孔３６に着脱可能な垂直位置決め用の取付け板４４と、取付け板４４に装着してアンカーボルト２４の下端ねじ部（図示を省略）を螺合する垂直調整用の調整ねじ筒４５を介し、各支柱部材２３の上部側に連結されている。
【００４４】
これにより、支持装置２０の中間部には、支柱部材２３に対してアンカーボルト２４を、Ｚ軸に沿った上下方向に位置決め調整が可能な垂直調整部が、垂直調整用の選択取付孔３６と、取付け板４４と、ボルト４２及びナット４３などによるねじ固着手段と、調整ねじ筒４５によって構成される。
【００４５】
垂直調整部は、アンカーボルト２４の下端ねじ部を調整ねじ筒４５に螺合させ、選択取付孔３６のいずれかを選択して取付け板４４をボルト４２及びナット４３で支柱部材２３に取り付け、これによって粗調整を行った後に、調整ねじ筒４５に対するアンカーボルト２４の下端ねじ部の螺合位置を可変させて微調整を行う。
【００４６】
図６及び図７は水平調整部の調整操作を示すが、第２の水平調整部では、高さ調整ねじ４１を反時計方向に回転させて調整ねじ筒４０に対する螺合を浅くすると、高さ調整ねじ４１のねじ頭部がベース部材２２の水平片２９を下方側（基礎地盤２１側）に押圧しながら、調整ねじ筒４０を取り付けた第２片３５（又は第１片３４）を上方へ押し上げて第１片３４（又は第２片３５）を傾斜状にし、ベース部材２２の垂直片３０は水平片２９に対して鈍角状に撓み変形される。
【００４７】
これにより、支柱部材２３の上部側に連結したアンカーボルト２４も傾斜状になり、アンカーボルト２４の上端ねじ部２５はＸ軸に沿った水平方向に位置決め調整されると共に、テンプレート２８を介して対向位置に設けた支柱部材２３及びベース部材２２にも伝達されるが、対向位置に設けた高さ調整ねじ４１のねじ頭部の位置によってその影響力は異なる。
【００４８】
例えば、対向位置に設けた高さ調整ねじ４１のねじ頭部がベース部材２２の水平片２９に圧接した状態の場合には、垂直片３０が撓み変形する余地がないので現状の角度で水平位置を保持し、高さ調整ねじ４１を時計方向に回転させて調整ねじ筒４０に対する螺合を深くすると、ねじ頭部と水平片２９の間に空隙を生じて空隙分だけ垂直片３０は撓み変形が可能となり、水平片２９に対して鋭角状に撓み変形させることができる。
【００４９】
従って、Ｘ軸に沿って対向位置に設けた各支柱部材２３すなわち支柱部材２３Ａと支柱部材２３Ｂ又は、支柱部材２３Ｃと支柱部材２３Ｄに対し、それぞれの水平調整用の高さ調整ねじ４１を所望に応じて適宜に調整すると、アンカーボルト２４の上端ねじ部２５を、Ｘ軸に沿った水平方向に位置決め調整できる。
【００５０】
第１の水平調整部を用いて位置決め調整する場合には、支柱部材２３の第１片３４又は第２片３５を、ベース部材２２の垂直片３０に連結しているボルト３８とナット３９の螺合を緩めた状態にすると、水平調整用の遊動取付孔３７に対して調整ねじ３８のねじ軸が遊動可能になるので、この状態で支柱部材２３をＹ軸に押圧して傾斜状にし、螺合を緊結して上端ねじ部２５をＹ軸に沿った水平方向に位置決め調整できる。
【００５１】
なお、第２の水平調整部で位置決め調整を行った後の高さ調整ねじ４１は、ねじ頭部をベース部材２２の水平片２９と当接状態にして調整位置からずれないように係止保持すると共に、第１の水平調整部を行った後のねじ固着手段は、ボルト３８とナットを緊結状態にして調整位置からずれないように係止保持する。
【００５２】
これらの水平調整部は、第２の水平調整部でＸ軸方向の位置決め調整を行う際には、高さ調整ねじ４１の螺合を浅くして垂直片３０を鈍角状に撓み変形する主動調整側では、高さ調整ねじ４１のねじ頭部がベース部材２２の水平片２９を下方へ押圧するように作動し、対向位置で垂直片３０を鋭角状に撓み変形する縦動調整側では、高さ調整ねじ４１のねじ頭部がベース部材２２の水平片２９から離間しているので、ウォールアンカー３２に対して引き抜き力が作用しない。
【００５３】
また、第１の水平調整部でＹ軸方向の位置決め調整を行う際には、垂直片３０に沿って支柱部材２３が傾斜すると、水平片２９上にねじ頭部を当接した高さ調整ねじ４１を介して、ベース部材２２の水平片２９を下方へ押圧するように作動し、Ｘ軸方向の位置決め調整の場合と同様に、ウォールアンカー３２に対して引き抜き力が作用することがない。
【００５４】
このように、第１及び第２の水平調整部で水平方向に対する位置決め調整を行った際に、ウォールアンカー３２に対して引き抜き力が作用しないので、ベース部材２２の水平片２９が基礎地盤２１上から浮き上がって支持強度が低下する恐れが無く、而もＸ軸方向とＹ軸方向の水平位置決め調整を行った際における両者間の相互干渉がないので、再調整を繰り返すことが無く作業が容易である。
【００５５】
なお、本発明は前記した実施形態に限定されるものではなく、要旨の範囲内において各種の変形を採り得るものであり、例えば図８で示すように、各ベース部材を個別にした実施形態や、図９で示すように、Ｘ軸方向に対する水平位置決め調整部分を別の構造にする実施形態など、適宜に変更することが可能である。
【００５６】
図８の実施形態は、先の実施形態では長尺なＬアングル材などを用いて一体に形成していた左右のベース部材２２（２２Ａ，２２Ｂ）を、短尺なＬアングル材などを用いて個別にし、各ベース部材４６（４６Ａ，４６Ｂ，４６Ｃ，４６Ｄ）で形成するようにした。
【００５７】
この実施形態では、基礎地盤２１に打設した捨てコンクリートの上面に局部的に著しい不陸を生じたり、杭その他の障害物が突出している場合に、これらを避けた状態でベース部材４６を設置することができると共に、必要に応じて一部のベース部材４６を杭上に設置して嵩上げする形態や、左右のいずれか一方を長尺に他方を短尺する形態や、局部的に切断する形態を採ることも可能である。
【００５８】
図９の実施形態は、先の実施形態では支柱部材２３の第１片３４又は第２片３５のいずれか一方に対し、長ナットなどによる調整ねじ筒４０を溶接などによって装着し、調整ねじ筒４０によって水平調整用の調整ねじ孔を形成したのを、第１片３４及び第２片３５の一部を折り曲げ加工して調整ねじ板４７，４８を形成すると共に、各調整ねじ板４７，４８に調整ねじ孔４８を設けて高さ調整ねじ４１が螺合するようにした。
【００５９】
この実施形態では、溶接のような煩雑な加工を行うことを省略することができると共に、各支柱部材２３（２３Ａ，２３Ｂ，２３Ｃ，２３Ｄ）を１種類にして共用化し、ベース部材２２，４６に対して取付けの向きを変えるだけで良いようにしたので、コストの低減及び在庫管理にも寄与できる。
【００６０】
また、Ｘ軸方向に対する水平位置決め調整部分は、支柱部材２３のの第１片３４又は第２片３５のいずれか一方をベース部材２２，４６の垂直片３０に取付け、水平片２９を支圧部材にしてウォールアンカー３２に対する引き抜き力が作用しない状態で、他方を上方へ高さ調整可能に押し上げる構造であれば良く、同様に機能する上記した実施形態以外の構成を採ることも可能である。
【００６１】
なお、図示の実施形態では第１の水平調整部でＹ軸方向に対する位置決め調整を行って、第２の水平調整部でＸ軸方向に対する位置決め調整を行っているが、ベース部材２２を９０℃転移させて前後に配置した形態を採ると、第１の水平調整部でＸ軸方向の位置決め調整が行われ、第２の水平調整部でＹ軸方向の位置決め調整が行われる。
【００６２】
次に、図１０〜１３によって更に別の実施形態について説明すると、図１０及び図１１で示す実施形態では図４における対向状に配置したベース部材２２（ベース部材２２Ａ，２２Ｂ）に対し、両端間の底部側にＬアングル材による補強板５０，５０を敷設させ、この補強板５０は取付け孔５１を介してウォールアンカーで基礎地盤上に固定すると共に、ベース部材２２の水平片３０との間を溶接５２によって固着している。
【００６３】
また、図６の実施形態では水平調整用の高さ調整ねじ４１にねじ頭部を６角にした六角ボルトを用いているが、この実施形態では高さ調整ねじ５３に六角穴付きボルトを用い、六角穴にレンチなどの締め付け工具を嵌合してボルトを締め付けることによって、支圧部材であるベース部材２２の水平片２９にボルトの先端を圧接し、支柱部材２２の第２片３５を押し上げてベース部材２２の垂直片３０を撓み変形させ、図６の実施形態の場合と同様に支柱部材２３を介してアンカーボルト２４の水平調整を行うことができる。
【００６４】
この実施形態では、補強板５０を設けてベース部材２２の水平片２９を溶接５２で固着すると、Ｘ軸方向の水平調整時に垂直片３０を弱軸方向へ撓み変形させる際や、Ｙ軸方向の水平調整時に支柱部材２３を傾動させる際に、ベース部材２２の水平片２９の浮き上がりを防止することができ、また図６の実施形態による高さ調整ねじ４１の場合には、頭部の座面が大きいので圧接力が大きい利点があるが、スパナなどの締め付け工具による回転操作に難点があるので、この回転操作を容易にするために、上部側から容易に回転操作できる六角穴付きボルトによる高さ調整ねじ５３を用いている。
【００６５】
なお、この実施形態のベース構造ではベース部材２２（ベース部材２２Ａ，２２Ｂ）の間に補強板５０を設けて方形枠状に形成し、ベース部材２２の水平片２９は補強板５０に固定されて拘束を受けるが、特許文献１などのベースパック工法の場合とは異なり、ベース部材２２の垂直片３０と支柱部材の第１片３４及び第２片３５は、何ら拘束を受けることがないので、垂直片３０の弱軸方向への撓み変形によるＸ軸方向の水平調整及び、第１片３４の遊動取付孔３７とボルト３８によるＹ軸方向の水平調整が可能である。
【００６６】
図１２は、図１０及び図１１で示す実施形態のＬアングル材による補強板５０，５０の代わりに平板状で長尺の補強板５４，５４を用い、両端を水平片２９の底面側に敷設する態様でベース部材２２（ベース部材２２Ａ，２２Ｂ）の間に配置すると共に、水平片２９との間を溶接５５で連結したものであり、その目的及び作用効果は図１０及び図１１で示す実施形態の場合と同様である。
【００６７】
図１３は、図１０及び図１１で示す実施形態のＬアングル材による補強板５０，５０の代わりに平板状で短尺の補強板５６，５６を用い、水平片２９の底面側に敷設する態様でベース部材２２（ベース部材２２Ａ，２２Ｂ）の両端に配置させ、取付け孔５７を介してウォールアンカーで基礎地盤上に固定すると共に、ベース部材２２の水平片３０との間を溶接５８によって固着したものであり、その目的及び作用効果は図１０及び図１１で示す実施形態の場合と同様である。
【００６８】
図１４は、図６，９，１１で示す実施形態で行っていた遊動取付け孔３７とボルト３８によるＹ軸方向に対する位置決め調整部分を、調整ねじ筒５９と高さ調整ねじ６０によって行う実施形態であり、支柱部材２３の第１片３４に調整ねじ筒５９を装着すると共に、調整ねじ筒５９に高さ調整ねじ６０を螺合させ、第１片３４に穿設した１つの取付け孔６１にボルト６２を介して、ベース部材２２の垂直片３０に支柱部材２３を回動可能に連結させ、Ｙ軸方向に対する位置決め調整部分を構成している。
【００６９】
この実施形態では、Ｙ軸方向に対する水平方向の位置決め調整部を行う場合にはボルト６２を一旦緩め、支柱部材２３の第１片３４に装着した調整ねじ筒５９に螺合する高さ調整ねじ６０の締め付けることにより、第１片３５を持ち上げて支柱部材２３を一方向に傾斜させて調整を行うが、Ｘ軸方向に対する水平方向の位置決め調整は図１１で示す実施形態の場合と同様に、支柱部材２３の第２片３５に装着した調整ねじ筒４０に螺合する高さ調整ねじ５３の締め付けにより、第２片３５を持ち上げて第１片３４によって垂直片３０を撓み変形させて行う。
【図面の簡単な説明】
【００７０】
【図１】先行技術によるアンカーボルトの支持装置であって、水平方向の位置決め調整部の概略説明図を示す。
【図２】本発明を適用したアンカーボルトの支持装置であって、全体正面図を示す。
【図３】本発明を適用したアンカーボルトの支持装置であって、全体側面図を示す。
【図４】図２のＩＶ−ＩＶ線に沿って断面にした平面図を示す。
【図５】図２のＶ−Ｖ線に沿って断面にした平面図を示す。
【図６】図２のアンカーボルトの支持装置における水平調整部であって、調整操作説明を斜視図で示す。
【図７】図２のアンカーボルトの支持装置における水平調整部であって、（ａ）（ｂ）はＸ軸方向の調整操作説明を、（ｃ）（ｄ）はＹ軸方向の調整操作説明を、それぞれ断面図で示す。
【図８】他の実施形態による水平調整部を平面図で示す。
【図９】他の実施形態による水平調整部を斜視図で示す。
【図１０】更に他の実施形態による水平調整部を平面図で示す。
【図１１】図１０の要部を斜視図で示す。
【図１２】更に他の実施形態による水平調整部を平面図で示す。
【図１３】更に他の実施形態による水平調整部を平面図で示す。
【図１４】更に他の実施形態による水平調整部を平面図で示す。
【符号の説明】
【００７１】
２０  アンカーボルトの支持装置
２１  基礎地盤
２２  ベース部材
２３  支柱部材
２４  アンカーボルト
２５  （アンカーボルト２４の）上端ねじ部
２６，２７，３３，３９，４３  ナット
２８  テンプレート
２９  （ベース部材２２の）水平片
３０  （ベース部材２２の）垂直片
３１，５１，５７，６１  取付け孔
３２  ウォールアンカー
３４  （支柱部材２３の）第１片
３５  （支柱部材２３の）第２片
３６  （垂直調整用の）選択取付孔
３７  （水平調整用の）遊動取付孔
３８，４２，６２  ボルト
４０，５９  （水平調整用の）調整ねじ筒
４１，５３，６０  （水平調整用の）高さ調整ねじ
４４  （垂直調整用の）取付け板
４５  （垂直調整用の）調整ねじ筒
４７，４８  （水平調整用の）調整ねじ板
４９  （水平調整用の）調整ねじ孔
５０，５４，５６  補強板
５２，５５，５８  溶接
【図１】
2004169546.tif 000003
【図２】
2004169546.tif 000004
【図３】
2004169546.tif 000005
【図４】
2004169546.tif 000006
【図５】
2004169546.tif 000007
【図６】
2004169546.tif 000008
【図７】
2004169546.tif 000009
【図８】
2004169546.tif 000010
【図９】
2004169546.tif 000011
【図１０】
2004169546.tif 000012
【図１１】
2004169546.tif 000013
【図１２】
2004169546.tif 000014
【図１３】
2004169546.tif 000015
【図１４】
2004169546.tif 000016